(57)【要約】【課題】バッテリーおよび太陽電池を備える携帯電話端末で、ユーザが、その機会を逃すことなく、携帯電話端末を太陽光下にかざして太陽電池を発電させ、バッテリーを充電することができるようにする。【解決手段】携帯電話端末１０には、バッテリー２１、太陽電池５１、バッテリー状態モニタ部７５および発電モニタ部７１を設ける。携帯電話の基地局から、またはインターネット上のサービスとして、携帯電話端末１０に天気情報を配信する。携帯電話端末１０の制御部は、その配信された天気情報から、当該地域の当該時刻の天気が太陽電池５１の発電に適した天気であるか否かを判断し、太陽電池５１の発電に適した天気であるときには、太陽電池５１の発電によるバッテリー２１の充電を促すメッセージを出力する。【選択図】図５
2010206681.tif 000002
【特許請求の範囲】
【請求項１】
当該端末の駆動電源としてのバッテリーと、
発電することによって上記バッテリーを充電する太陽電池と、
配信された天気情報から、当該地域の当該時刻の天気が太陽電池の発電に適した天気であるか否かを判断し、太陽電池の発電に適した天気であるときには、上記太陽電池の発電による上記バッテリーの充電を促すメッセージを出力する制御部と、
を備える携帯電話端末。
【請求項２】
請求項１の携帯電話端末において、
上記制御部は、当該地域の当該時刻の天気が太陽電池の発電に適した天気であり、上記バッテリーが充電を必要とする状態にあり、かつ上記太陽電池が発電中ではないときにのみ、上記メッセージを出力する携帯電話端末。
【請求項３】
請求項１の携帯電話端末において、
上記制御部は、音声の出力、振動の発生、または表示部での表示によって、上記メッセージを出力する携帯電話端末。
【請求項４】
当該端末の駆動電源としてのバッテリーと、発電することによって上記バッテリーを充電する太陽電池とを備える携帯電話端末が行う情報処理方法として、
配信された天気情報を受信する工程と、
その受信した天気情報から、当該地域の当該時刻の天気が太陽電池の発電に適した天気であるか否かを判断し、太陽電池の発電に適した天気であるときには、上記太陽電池の発電による上記バッテリーの充電を促すメッセージを出力するメッセージ出力工程と、
を備える情報処理方法。
【請求項５】
請求項４の情報処理方法において、
上記メッセージ出力工程では、当該地域の当該時刻の天気が太陽電池の発電に適した天気であり、上記バッテリーが充電を必要とする状態にあり、かつ上記太陽電池が発電中ではないときにのみ、上記メッセージを出力する情報処理方法。
【請求項６】
請求項４の情報処理方法において、
上記メッセージ出力工程では、音声の出力、振動の発生、または表示部での表示によって、上記メッセージを出力する情報処理方法。
【発明の詳細な説明】
【技術分野】
【０００１】
この発明は、端末の駆動電源としてのバッテリー（二次電池、充電式電池）を太陽電池によって充電することができる携帯電話端末、およびその携帯電話端末での情報処理方法に関する。
【背景技術】
【０００２】
携帯電話端末は、バッテリーによって駆動され、そのバッテリーは、ＡＣアダプタによって充電することができる。
【０００３】
さらに、エコロジーなどの目的で、太陽電池によって携帯電話端末のバッテリーを充電することが考えられている。
【０００４】
具体的に、特許文献１には、携帯電話端末に設ける太陽電池モジュールとして、断面が直角三角形の多数の土手が形成された透明板の各土手の垂直面に太陽電池セルを取り付けることによって、発電効率を向上させることが示されている。
【０００５】
また、特許文献２には、太陽電池を使用できるときには、太陽電池によってノートパソコン本体のバッテリーと補助バッテリーとを充電し、太陽電池を使用できないときには、補助バッテリーによってノートパソコン本体のバッテリーを充電することが示されている。
【０００６】
さらに、携帯電話端末に係るものではないが、特許文献３には、太陽電池の発電量の予測をもとに計画した充放電計画に基づいて蓄電装置の充電を制御する太陽光発電システムを、発電量および消費電力から評価することができる方法が示されている。
【先行技術文献】
【特許文献】
【０００７】
【特許文献１】特開２００６−６６７５４号公報
【特許文献２】特開２００６−３４０５０４号公報
【特許文献３】特開２００８−１４１９１８号公報
【発明の概要】
【発明が解決しようとする課題】
【０００８】
端末の表面に太陽電池セルを取り付けた携帯電話端末で、太陽電池によってバッテリーを充電する場合、ユーザは携帯電話端末を太陽光下にかざして太陽電池を発電させる必要がある。
【０００９】
しかし、せっかく晴れていても、ユーザが、そのことに気づかず、またはバッテリーを充電することを失念して、太陽電池の発電およびバッテリーの充電の機会を逃してしまうことも多い。
【００１０】
そこで、この発明は、ユーザが、その機会を逃すことなく、携帯電話端末を太陽光下にかざして太陽電池を発電させ、バッテリーを充電することができるようにしたものである。
【課題を解決するための手段】
【００１１】
この発明の携帯電話端末は、
当該端末の駆動電源としてのバッテリーと、
発電することによって上記バッテリーを充電する太陽電池と、
配信された天気情報から、当該地域の当該時刻の天気が太陽電池の発電に適した天気であるか否かを判断し、太陽電池の発電に適した天気であるときには、上記太陽電池の発電による上記バッテリーの充電を促すメッセージを出力する制御部と、
を備えるものである。
【００１２】
上記の携帯電話端末では、太陽電池の発電に適した天気であるとき、ユーザは、その機会を逃すことなく、携帯電話端末を太陽光下にかざして太陽電池を発電させ、バッテリーを充電することができる。
【発明の効果】
【００１３】
以上のように、この発明によれば、ユーザは、その機会を逃すことなく、携帯電話端末を太陽光下にかざして太陽電池を発電させ、バッテリーを充電することができる。
【図面の簡単な説明】
【００１４】
【図１】この発明の携帯電話端末の一例の概略的な外観構成を示す図である。
【図２】図１の携帯電話端末の各種の天候時の太陽電池ユニットへの太陽光照射状況を示す図である。
【図３】照度の違いによる太陽電池の出力特性の違いの一例を示す図である。
【図４】この発明の携帯電話端末の一例の端末機能部の接続構成を示す図である。
【図５】この発明の携帯電話端末の一例の電源部の接続構成を示す図である。
【図６】この発明の携帯電話端末の一例の制御部が実行する充電要求処理の一例を示す図である。
【発明を実施するための形態】
【００１５】
［１．携帯電話端末の外観構成：図１］
図１は、この発明の携帯電話端末の一例の概略的な外観構成を示し、図１（Ａ）は上面図、図１（Ｂ）は側断面図である。
【００１６】
この例の携帯電話端末１０は、折り畳み式の携帯電話端末として、下側筐体１１、上側筐体１２およびヒンジ部１３からなるものとして構成される。図１は、上側筐体１２を下側筐体１１に対して閉じた状態を示す。
【００１７】
図１では省略するが、下側筐体１１の内側の面には、後述の操作部およびマイクロホンなどが設けられ、上側筐体１２の内側の面には、後述の表示部およびスピーカなどが設けられる。
【００１８】
さらに、上側筐体１２の外側の面には、太陽電池ユニット５０が設けられる。太陽電池ユニット５０は、例えば７枚の太陽電池セル５１ａ，５１ｂ，５１ｃ，５１ｄ，５１ｅ，５１ｆおよび５１ｇが並べて取り付けられ、直列に接続されて、太陽電池として所望の出力電圧が得られるようにされる。
【００１９】
［２．太陽電池の発電と出力特性：図２および図３］
太陽電池を発電させるときには、例えば、図２（Ａ）（Ｂ）（Ｃ）に示すように、ヒンジ部１３を回転中心として上側筐体１２を下側筐体１１に対して開いて、太陽光が上側筐体１２の面に垂直に近い角度で照射されるようにする。
【００２０】
この場合、快晴の時は、図２（Ａ）に示すように、照射光量が最大となり、やや薄曇りの時は、図２（Ｂ）に示すように、快晴の時より照射光量が少なくなり、曇りの時は、図２（Ｃ）に示すように、やや薄曇りの時より照射光量が少なくなる、というように、天気に応じて照射光量が変化し、太陽電池の発電量が変化する。
【００２１】
図３に、この場合の太陽電池の出力特性の一例を示す。図示するように、照度が高いほど、例えば４．５Ｖというような、バッテリーを充電するのに必要な出力電圧で得られる出力電流が大きくなる。
【００２２】
［３．携帯電話端末の接続構成：図４および図５］
図４および図５に、携帯電話端末１０の接続構成の一例を示す。携帯電話端末１０は、端末機能部１００および電源部３０を備えるものとして構成される。
【００２３】
図４に示すように、端末機能部１００は、制御バス１１１およびデータバス１１３からなるシステムバスに対して、制御部１２１、メモリ１２３、操作部１２５、表示部１２７、無線通信部１３１、音声処理部１４１およびバイブレータ１４７が接続される。
【００２４】
無線通信部１３１には、アンテナ１３３が接続され、音声処理部１４１には、マイクロホン１４３およびスピーカ１４５が接続される。
【００２５】
制御部１２１は、ＣＰＵを有するマイクロコンピュータとして構成される。そのマイクロコンピュータには、各種処理を実行し制御するためのプログラムが格納される。制御部１２１のＣＰＵは、そのプログラムに従って各種処理を実行し制御する。
【００２６】
メモリ１２３は、例えば、フラッシュメモリなどの半導体メモリで、これには、動画や静止画などの画像のデータ、操作画面や選択画面などの画面のデータ、音楽や音声のデータ、電話帳やメールのデータなどが格納される。
【００２７】
図１で上述したように、操作部１２５およびマイクロホン１４３は、下側筐体１１の内側の面に設けられ、表示部１２７およびスピーカ１４５は、上側筐体１２の内側の面に設けられる。表示部１２７は、液晶ディスプレイや有機ＥＬディスプレイなどである。
【００２８】
後述の天気情報などの、携帯電話端末１０に送信されたデータは、アンテナ１３３で受信され、無線通信部１３１で復調されて、データバス１１３に取り込まれる。
【００２９】
携帯電話端末１０から送信されるデータは、無線通信部１３１で変調されて、アンテナ１３３から送信される。
【００３０】
バイブレータ１４７は、携帯電話端末１０がマナーモードにされているときに着信があったときなどに振動を発生するものである。
【００３１】
図４および図５に示すように、電源部３０は、端末機能部１００の駆動電源となるバッテリー２１、および太陽電池５１を含むものとして構成される。
【００３２】
バッテリー２１は、例えば、リチウムイオンバッテリーである。太陽電池５１は、図１で上述したように太陽電池セル５１ａ〜５１ｇを直列に接続したものである。
【００３３】
図５に示すように、電源部３０は、さらに、充電回路部４０、電圧変換部６１、表示制御部６３、表示部６５、発電モニタ部７１、温度検出用抵抗７３、およびバッテリー状態モニタ部７５を有するものとして構成される。
【００３４】
充電回路部４０は、例えば、保護回路４１、充電制御ＩＣ（集積回路）４２、ＦＥＴ（電界効果トランジスタ）４３、電流検出用抵抗４４、充電表示用ＬＥＤ（発光ダイオード）４５、および電流制限用抵抗４６からなる。
【００３５】
ＡＣアダプタ９０による充電時には、ＡＣアダプタ９０から、保護回路４１、ＦＥＴ４３および電流検出用抵抗４４を通じて、バッテリー２１に充電電流が流れ、バッテリー２１が充電される。保護回路４１は、バッテリー２１側からＡＣアダプタ９０側に電流が流れるのを阻止する回路である。
【００３６】
電圧変換部６１は、太陽電池５１の出力電圧Ｖｓを、バッテリー２１を充電するのに最適な出力電圧Ｖａに変換するものである。太陽電池５１の発電時、この出力電圧Ｖａによって、保護回路４１を含む充電回路部４０を通じてバッテリー２１が充電される。
【００３７】
表示制御部６３は、太陽電池５１の出力電圧Ｖｓに応じて、すなわち太陽電池５１の発電状態に応じて、表示部６５を構成する発光素子の発光を制御するものである。表示制御部６３および表示部６５の電源電圧としては、電圧変換部６１の出力電圧Ｖａが用いられる。
【００３８】
発電モニタ部７１は、太陽電池５１の出力電圧Ｖｓによって、太陽電池５１の発電状態をモニタするものである。
【００３９】
具体的に、出力電圧Ｖｓが、例えば４．５Ｖというような、バッテリー２１を充電するのに必要な所定電圧以上であるときには、太陽電池５１は発電中であると判断され、出力電圧Ｖｓが、その所定電圧に満たないときには、太陽電池５１は発電中ではないと判断される。
【００４０】
温度検出用抵抗７３は、バッテリー２１の近傍に設けられて、バッテリー２１の温度を検出するものである。
【００４１】
バッテリー２１が満充電の状態にあって、バッテリー２１の温度が高いときには、温度検出用抵抗７３の抵抗値が小さくなって、温度検出用抵抗７３に流れる電流が多くなり、逆に、バッテリー２１の充電電圧Ｖｍが低く、バッテリー２１の温度が低いときには、温度検出用抵抗７３の抵抗値が大きくなって、温度検出用抵抗７３に流れる電流が少なくなる。
【００４２】
バッテリー状態モニタ部７５は、バッテリー２１の充電電圧Ｖｍと温度検出用抵抗７３に流れる電流との両者から、バッテリー２１が満充電の、または満充電に近い、充電を必要としない状態にあるか、バッテリー２１が充電を必要とする状態にあるか、を検出するものである。
【００４３】
発電モニタ出力、すなわち発電モニタ部７１の出力のデータ、およびバッテリー状態モニタ出力、すなわちバッテリー状態モニタ部７５の出力のデータは、端末機能部１００のデータバス１１３に取り込まれ、制御部１２１による以下のような充電要求処理に供される。
【００４４】
［４．充電要求処理：図６］
上述した携帯電話端末１０では、太陽電池セル５１ａ〜５１ｇに太陽光を照射することによって、太陽電池５１を発電させ、その発電出力によってバッテリー２１を充電することができる。
【００４５】
この場合、携帯電話端末１０の制御部１２１は、以下のような方法で、ユーザに太陽電池５１の発電を促し、バッテリー２１の充電を促す。
【００４６】
まず、携帯電話システムとして、配信元は携帯電話端末１０に天気情報を配信する。
【００４７】
この場合の配信元および配信方法としては、
（ａ）携帯電話の通信会社が、サービスの１つとして、基地局から配信する、
（ｂ）インターネット上のサービスとして、サービス会社が配信する、
などとすることができる。
【００４８】
上記（ａ）では、携帯電話端末１０が、その時々で、自端末に近い基地局から配信された、自端末が存在する地域の天気を示す情報を取り込むことによって、当該地域の当該時刻の天気を検出することができる。
【００４９】
上記（ｂ）では、携帯電話端末１０をＧＰＳ（Ｇｌｏｂａｌ  Ｐｏｓｉｔｉｏｎｉｎｇ  Ｓｙｓｔｅｍ）による測位機能を備えるものとすることによって、または、あらかじめユーザが携帯電話端末１０に当該端末が存在する地域を登録しておくことによって、配信された天気情報の中から当該地域の天気を示す情報のみを抽出するように携帯電話端末１０を構成する。
【００５０】
天気情報が天気予報である場合には、携帯電話端末１０の制御部１２１は、その天気情報をメモリ１２３に記録しておき、該当する時刻に当該時刻の天気を示す情報として読み出す。
【００５１】
図６に、制御部１２１が実行する充電要求処理の一例を示す。制御部１２１は、携帯電話端末１０の電源がオンにされることによって充電要求処理を開始して、まずステップ８１で、天気情報を受信したか否かを判断する。
【００５２】
そして、天気情報を受信していないときには、ステップ８１からステップ８６に進んで、充電要求処理を終了するか否かを判断し、ユーザによる電源オフの操作などによって充電要求処理を終了する場合でなければ、ステップ８６からステップ８１に戻って、天気情報を受信したか否かを判断する。
【００５３】
一方、ステップ８１で天気情報を受信したと判断したときには、ステップ８２に進んで、当該地域の当該時刻の天気が晴れであるか否かを判断する。ここで、「晴れ」というのは、快晴を含む、太陽電池の発電に適した天気のことである。
【００５４】
そして、当該地域の当該時刻の天気が晴れでないときには、ステップ８２からステップ８６に進んで、充電要求処理を終了するか否かを判断し、上記のように充電要求処理を終了する場合でなければ、ステップ８６からステップ８１に戻る。
【００５５】
一方、ステップ８２で当該地域の当該時刻の天気が晴れであると判断したときには、ステップ８３に進んで、上記のバッテリー状態モニタ出力から、バッテリー２１が充電を必要とする状態にあるか否かを判断する。
【００５６】
そして、バッテリー２１が満充電の、または満充電に近い、充電を必要としない状態にあるときには、ステップ８３からステップ８６に進んで、充電要求処理を終了するか否かを判断し、上記のように充電要求処理を終了する場合でなければ、ステップ８６からステップ８１に戻る。
【００５７】
一方、ステップ８３でバッテリー２１が充電を必要とする状態にあると判断したときには、ステップ８４に進んで、上記の発電モニタ出力から、太陽電池５１が発電中ではないか否かを判断する。
【００５８】
そして、その時、ユーザが携帯電話端末１０を太陽光下にかざしていて、太陽電池５１が発電中であるときには、ステップ８４からステップ８６に進んで、充電要求処理を終了するか否かを判断し、上記のように充電要求処理を終了する場合でなければ、ステップ８６からステップ８１に戻る。
【００５９】
一方、ステップ８４で太陽電池５１が発電中ではないと判断したときには、ステップ８５に進んで、充電要求メッセージ、すなわち太陽電池５１の発電によるバッテリー２１の充電を促すメッセージを出力して、ステップ８６に進む。
【００６０】
充電要求メッセージの出力は、スピーカ１４５から音声を出力し、バイブレータ１４７によって振動を発生させ、または表示部１２７に文字やアイコンなどを表示することによって、実行する。
【００６１】
ただし、上述したように表示部１２７が上側筐体１２の内側の面に設けられる場合は、上側筐体１２が下側筐体１１に対して開いた状態にないと表示部１２７を見ることができないので、スピーカ１４５からの音声出力、またはバイブレータ１４７による振動発生によって充電要求メッセージを出力する。
【００６２】
また、あらかじめユーザが充電要求メッセージの出力方法を選択できるように携帯電話端末１０を構成することもできる。
【００６３】
ユーザは、このように充電要求メッセージが出力されることによって、その機会を逃すことなく、携帯電話端末１０を太陽光下にかざして太陽電池５１を発電させ、バッテリー２１を充電することができる。
【符号の説明】
【００６４】
主要部については図中に記述したので、ここでは省略する。
【図１】
2010206681.tif 000003
【図２】
2010206681.tif 000004
【図３】
2010206681.tif 000005
【図４】
2010206681.tif 000006
【図５】
2010206681.tif 000007
【図６】
2010206681.tif 000008